(57)【特許請求の範囲】
【請求項１】
縦方向に前胴周り域および後胴周り域と、それら胴周り域の間に位置する股下域とを備え、前記股下域を中心として前記前後胴周り域へ向かって延び、かつ、吸液性の第１コアと、その肌対向面を覆う第１透液性シートと、該第１コアの肌非対向面を覆う不透液性シートとからなる第１吸液層と、前記第１吸液層の肌対向面の側に位置して前記前胴周り域から前記股下域へ向かって延び、かつ、吸液性の第２コアと、その肌対向面と肌非対向面の少なくとも一部を覆う第２透液性シートとからなる第２吸液層とを有し、前記縦方向へ延びる実質的に不透液性の防漏カフが前記第１コアの両側縁の外側近傍に取り付けられた使い捨ておむつにおいて、
前記第２吸液層が、前記前胴周り域に位置して前記第１吸液層に重なる基端部と、前記股下域の側に位置して前記第１吸液層から上方へ離間する先端部と、それら端部の間を前記縦方向へ延びる両側部とを有し、
前記カフが、前記縦方向へ延びる固定縁部と、前記縦方向へ伸縮可能であって前記第１吸液層の肌対向面の上方へ起立性向を有する自由縁部と、前記前後胴周り域に位置する固定両端部とを有し、
前記第２吸液層の先端部と該先端部の側に延びる両側部との交差部位が前記第２透液性シートを介して前記カフの自由縁部に連結され、前記第１吸液層と前記第２吸液層との間に前記前胴周り域から前記股下域へ向かって開口するポケットが形成されていることを特徴とする前記おむつ。
【請求項２】
吸液性の第３コアと、その肌対向面と肌非対向面の少なくとも一部を覆う第３透液性シートとからなる第３吸液層が、前記第１吸液層の肌対向面の側に位置して前記後胴周り域から前記股下域へ向かって延び、前記第３吸液層が、前記後胴周り域に位置して前記第１吸液層に重なる基端部と、前記股下域の側に位置して前記第１吸液層から上方へ離間する先端部と、それら端部の間を前記縦方向へ延びる両側部とを有し、
前記第３吸液層の先端部と該先端部の側に延びる両側部との交差部位が前記第３透液性シートを介して前記カフの自由縁部に連結され、前記第１吸液層と前記第３吸液層との間に前記後胴周り域から前記股下域へ向かって開口するポケットが形成され、
前記第２吸液層と第３吸液層との先端部どうしが前記縦方向へ所与寸法離間し、前記第２吸液層と第３吸液層との先端部の間に前記第１吸液層の肌対向面が露出している請求項１記載のおむつ。
【請求項３】
前記第２吸液層の前記前胴周り域から前記股下域への延出寸法が、前記第３吸液層の前記後胴周り域から前記股下域へのそれよりも大きく、前記第１吸液層の肌対向面が、前記股下域における前記後胴周り域の側へ偏倚した位置に露出している請求項２記載のおむつ。
【請求項４】
前記第１コアと前記第２コアとの単位面積当たりの排泄物吸収量が、第１コア＜第２コアの関係にある請求項１ないし請求項３いずれかに記載のおむつ。
【発明の詳細な説明】
【０００１】
【発明の属する技術分野】
本発明は、排泄物を吸収、保持する使い捨ておむつに関する。
【０００２】
【従来の技術】
特開平８−１９６５６５号公報は、透液性表面シートと、不透液性裏面シートと、それらシートの間に介在する吸液性コアとを有し、コアが上層コアと下層コアとからなる使い捨ておむつを開示している。上層コアは、前胴周り域から股下域へ向かって延びる前部コアと、後胴周り域から股下域に向かって延びる後部コアとから形成されている。このおむつでは、前部コアの後端部と後部コアの前端部とが股下域において縦方向へ所与寸法離間し、上層コアの上面を被覆する表面シートが前部コアの後端部と後部コアの前端部とにおいて下層コアの側へ向かって折曲されるとともに、表面シートが上下層コアの間に折り込まれている。
【０００３】
このおむつでは、前部コアと下層コアとの間に前胴周り域から股下域へ向かって開口するポケットが形成され、後部コアと下層コアとの間に後胴周り域から股下域へ向かって開口するポケットが形成されるので、それらポケットに大便を収容することができる。
【０００４】
【発明が解決しようとする課題】
同号公報に開示のおむつは、前部コアの後端部と後部コアの前端部とを下層コアの上方へ積極的に離間させるための構成を備えておらず、前後部コアの前後端部と下層コアとが互いに当接し易く、ポケットがその口を開け難い。このおむつでは、ポケットがわずかに口を開けたとしても、そこにわずかな大便を収容し得るに過ぎず、ポケットに収容しきれない大便が着用者の肌に付着してしまう場合がある。
【０００５】
本発明の課題は、ポケットが大きく口を開けることができ、そこに大便を収容して着用者の肌に対する大便の付着を確実に防ぐことができる使い捨ておむつを提供することにある。
【０００６】
【課題を解決するための手段】
前記課題を解決するための本発明の前提は、縦方向に前胴周り域および後胴周り域と、それら胴周り域の間に位置する股下域とを備え、前記股下域を中心として前記前後胴周り域へ向かって延び、かつ、吸液性の第１コアと、その肌対向面を覆う第１透液性シートと、該第１コアの肌非対向面を覆う不透液性シートとからなる第１吸液層と、前記第１吸液層の肌対向面の側に位置して前記前胴周り域から前記股下域へ向かって延び、かつ、吸液性の第２コアと、その肌対向面と肌非対向面の少なくとも一部を覆う第２透液性シートとからなる第２吸液層とを有し、前記縦方向へ延びる実質的に不透液性の防漏カフが前記第１コアの両側縁の外側近傍に取り付けられた使い捨ておむつである。
【０００７】
かかる前提において、本発明の特徴は、前記第２吸液層が、前記前胴周り域に位置して前記第１吸液層に重なる基端部と、前記股下域の側に位置して前記第１吸液層から上方へ離間する先端部と、それら端部の間を前記縦方向へ延びる両側部とを有し、前記カフが、前記縦方向へ延びる固定縁部と、前記縦方向へ伸縮可能であって前記第１吸液層の肌対向面の上方へ起立性向を有する自由縁部と、前記前後胴周り域に位置する固定両端部とを有し、前記第２吸液層の先端部と該先端部の側に延びる両側部との交差部位が前記第２透液性シートを介して前記カフの自由縁部に連結され、前記第１吸液層と前記第２吸液層との間に前記前胴周り域から前記股下域へ向かって開口するポケットが形成されている。
【０００８】
本発明の実施の態様の一例としては、吸液性の第３コアと、その肌対向面と肌非対向面の少なくとも一部を覆う第３透液性シートとからなる第３吸液層が、前記第１吸液層の肌対向面の側に位置して前記後胴周り域から前記股下域へ向かって延び、前記第３吸液層が、前記後胴周り域に位置して前記第１吸液層に重なる基端部と、前記股下域の側に位置して前記第１吸液層から上方へ離間する先端部と、それら端部の間を前記縦方向へ延びる両側部とを有し、
前記第３吸液層の先端部と該先端部の側に延びる両側部との交差部位が前記第３透液性シートを介して前記カフの自由縁部に連結され、前記第１吸液層と前記第３吸液層との間に前記後胴周り域から前記股下域へ向かって開口するポケットが形成され、
前記第２吸液層と第３吸液層との先端部どうしが前記縦方向へ所与寸法離間し、前記第２吸液層と第３吸液層との先端部の間に前記第１吸液層の肌対向面が露出している。
【０００９】
本発明の実施の態様の他の一例としては、前記第２吸液層の前記前胴周り域から前記股下域への延出寸法が、前記第３吸液層の前記後胴周り域から前記股下域へのそれよりも大きく、前記第１吸液層の肌対向面が、前記股下域における前記後胴周り域の側へ偏倚した位置に露出している。
【００１０】
本発明の実施の態様の他の一例としては、前記第１コアと前記第２コアとの単位面積当たりの排泄物吸収量が、第１コア＜第２コアの関係にある。
【００１１】
【発明の実施の形態】
添付の図面を参照し、本発明にかかる使い捨ておむつの詳細を開放型のおむつを例として説明すると、以下のとおりである。
【００１２】
図１，２は、第１透液性シート２の側から示す使い捨ておむつ１Ａの部分破断斜視図と、図１のＡ−Ａ線断面図とであり、図３，４は、図１のＢ−Ｂ線断面図と、前後胴周り域２０，２２を連結した着用状態で示す図１のおむつ１Ａの斜視断面図とである。図１では、横方向を矢印Ｘで示し、縦方向を矢印Ｙで示す。なお、第１透液性シート２、不透液性シート３の内面とは、第１コア４に対向する面をいい、それらシート２，３の外面とは、第１コア４に非対向の面をいう。また、第２透液性シート５の内面とは、第２コア６に対向する面をいい、第２透液性シート５の外面とは、第２コア６に非対向の面をいう。
【００１３】
おむつ１Ａは、第１透液性シート２および不透液性シート３の間に介在する吸液性の第１コア４からなる第１吸液層と、第２透液性シート５の間に介在する吸液性の第２コア６からなる第２吸液層と、実質的に不透液性の防漏カフ７とを有する。
【００１４】
おむつ１Ａは、縦方向に前胴周り域２０および後胴周り域２２と、前後胴周り域２０，２２の間に位置する股下域２１とを有する。おむつ１Ａでは、第１コア４の両端縁４ａの外側を一対のエンドフラップ８が横方向へ延び、第１コア４の両側縁４ｂの外側を一対のサイドフラップ９が縦方向へ延びている。サイドフラップ９は、股下域２１においておむつ１Ａの横方向内方へ向かって弧を画いている。
【００１５】
第１コア４は、肌対向面４ｃと肌非対向面４ｄとを有し、股下域２１を中心として前後胴周り域２０，２２へ向かって延びている。第１コア４は、肌対向面４ｃが第１透液性シート２に覆われ、肌非対向面４ｄが不透液性シート３に覆われている。第１コア４では、肌対向面４ｃが第１透液性シート２の内面に固着され、肌非対向面４ｄが不透液性シート３の内面に固着されて第１吸液層を形成している。
【００１６】
第２コア６は、第１透液性シート２を挟んで第１コア４の肌対向面４ｃの側に位置し、前胴周り域２０から股下域２１へ向かって延びている。第２コア６は、肌対向面６ａと肌非対向面６ｂとを有し、それら面６ａ，６ｂが第２透液性シート５に覆われている。第２コア６では、肌対向面６ａと肌非対向面６ｂとが第２透液性シート５の内面に固着されて第２吸液層を形成している。
【００１７】
第２吸液層は、前胴周り域２０に位置して第１吸液層に重なる基端部６ｃと、股下域２１の側に位置して第１吸液層から上方へ所与寸法離間する先端部６ｄと、それら端部６ｃ，６ｄの間を縦方向へ延びる両側部６ｅとを有する。第２透液性シート５は、第２コア６の先端部において折曲されている。
【００１８】
それらコア４，６は、フラッフパルプと高吸収性ポリマー粒子との混合物、または、フラッフパルプと高吸収性ポリマー粒子と熱可塑性合成樹脂繊維との混合物であり、所要の厚みに圧縮されている。それらコア４，６は、ポリマー粒子の脱落や型崩れを防止するためにその全体がティッシュペーパーに被覆されていることが好ましい。ポリマー粒子としては、デンプン系、セルロース系、合成ポリマー系のものを使用することができる。
【００１９】
防漏カフ７は、サイドフラップ９に位置して縦方向へ延びている。カフ７は、第１コア４の両側縁４ｂの外側近傍を縦方向へ延びる固定縁部７ａと、固定縁部７ａに並行して第１コア４の肌対向面４ｃの上方へ起立性向を有する自由縁部７ｂと、前後胴周り域２０，２２に位置しておむつ１Ａの横方向内方へ倒伏された固定両端部７ｃとを有する。カフ７では、固定縁部７ａがサイドフラップ９に固着され、固定両端部７ｃがエンドフラップ８に固着されている。
【００２０】
カフ７では、固定縁部７ａからおむつ１Ａの横方向外方へ側部７ｄが延びている。自由縁部７ｂには、縦方向へ延びる弾性部材１０が伸長状態で取り付けられている。弾性部材１０は、自由縁部７ｂの一部に被覆されている。
【００２１】
おむつ１Ａでは、第２吸液層の先端部６ｄと両側部６ｅとの交差部位６ｆが第２透液性シート５を介してカフ７の自由縁部７ｂに固着されている。おむつ１Ａでは、それが第１透液性シート２を内側にして縦方向へ湾曲し、弾性部材１０が収縮してカフ７の自由縁部７ｂが第１コア４の肌対向面４ｃの上方へ起立している。前胴周り域２０では、カフ７の自由縁部７ｂが第２コア６の肌対向面６ａの上方へ起立している。
【００２２】
おむつ１Ａでは、起立したカフ７の自由縁部７ｂによって、第２吸液層の先端部６ｄが第１コア４の肌対向面４ｃの上方へ持ち上げられている。第１吸液層と第２吸液層との間には、前胴周り域２０から股下域２１へ向かって開口するポケットＰ１が形成されている。
【００２３】
エンドフラップ８には、横方向へ延びる帯状の胴周り用弾性部材１１が伸長状態で取り付けられている。股下域２１におけるサイドフラップ９には、縦方向へ延びる複数条の脚周り用弾性部材１２が伸長状態で取り付けられている。
【００２４】
後胴周り域２０におけるサイドフラップ９には、横方向内方へ延びるテープファスナ１３が取り付けられている。テープファスナ１３の自由端部には、粘着剤（図示せず）が塗布されている。前胴周り域２０における不透液性シート３の外面には、プラスチックフィルムからなる矩形のターゲットテープ１４が取り付けられている。ターゲットテープ１４は、テープファスナ１３に対する止着域となる。
【００２５】
エンドフラップ８では、図２に示すように、第１透液性シート２の端部２ａと不透液性シート３の端部３ａとが第１コア４の端縁４ａから縦方向外方へ延び、それら端部２ａ，３ａの互いに重なり合う部分が固着されている。第２コア６の基端部６ｃから縦方向外方へ延びる第２透液性シート５の端部５ａは、互いに重なり合う部分が固着され、さらに、第１透液性シート２の端部２ａに固着されている。カフ７の固定端部７ｃは、第２透液性シート５の端部５ａに固着されている。胴周り用弾性部材１１は、第１透液性シート２の端部２ａと不透液性シート３の端部３ａとの間に介在し、それら端部２ａ，３ａに固着されている。
【００２６】
サイドフラップ９では、図３に示すように、第１透液性シート２の側部２ｂが第１コア４の両側縁４ｂから横方向外方へわずかに延び、第１透液性シート２の側部２ｂからさらに横方向外方へ不透液性シート３の側部３ｂとカフ７の側部７ｄとが延びている。側部２ｂは、側部３ｂと側部７ｄとの間に介在し、それら側部３ｂ，７ｄに固着されている。側部３ｂと側部７ｄとは、それら側部３ｂ，７ｄの互いに重なり合う部分が固着されている。
【００２７】
第２コア６の両側部６ｅから横方向外方へ延びる第２透液性シート５の側部５ｂは、互いに重なり合う部分が固着され、さらに、第１透液性シート２の側部２ｂとカフ７の固定縁部７ａとの間に介在し、側部２ｂと固定縁部７ａとに固着されている。脚周り用弾性部材１２は、不透液性シート３の側部３ｂとカフ７の側部７ｄとの間に介在し、それら側部３ｂ，７ｄに固着される。
【００２８】
おむつ１Ａを着用するには、後胴周り域２２のサイドフラップ９を前胴周り域２０のサイドフラップ９の外側に重ね合わせ、粘着剤を介してテープファスナ１３の自由端部をターゲットテープ１４に止着し、前胴周り域２０と後胴周り域２２とを連結する。前後胴周り域２０，２２が連結されたおむつ１Ａには、図４に示すように、胴周り開口１５と、脚周り開口１６とが画成されている。
【００２９】
おむつ１Ａでは、カフ７の自由縁部７ｂによって第２吸液層の先端部６ｄが第１コア４の肌対向面４ｃの上方へ持ち上げられるので、ポケットＰ１が大きく口を開け、ポケットＰ１の大便に対する収容容積を大きくすることができる。
【００３０】
おむつ１Ａでは、股下域２１に多量の軟便や水様便が排泄され、それら大便が第１透液性シート２上を拡散して前胴周り域２０に移行したとしても、それら大便の大部分をポケットＰ１に収容することができ、大便が第２吸液層上に漏出することはない。このおむつ１Ａでは、前胴周り域２０において着用者の肌に対する大便の付着を確実に防ぐことができる。それら大便は、ポケットＰ１に収容された後、水分が第１吸液層と第２吸液層とに吸収、保持され、固形分がポケットＰ１に保持される。
【００３１】
おむつ１Ａでは、第１コア４と第２コア６との単位面積当たりの排泄物吸収量が、第１コア４＜第２コア６の関係にあることが好ましい。おむつ１Ａでは、排泄物のうちの尿が第２コア６上に排泄され、第２コア６に吸収される。おむつ１Ａでは、第２コア６の排泄物吸収量が第１コア４のそれよりも大きく、尿の大部分が第２コア６に吸収、保持され、尿が第２吸液層からポケットＰ１に移行することはなく、ポケットＰ１において尿と大便とが混合してしまうことを防ぐことができる。
【００３２】
おむつ１Ａでは、起立したカフ７の自由縁部７ｂが排泄物に対する障壁を形成し、サイドフラップ９からの排泄物の漏れを防ぐことができる。
【００３３】
図５，６は、他の実施の形態を示す使い捨ておむつ１Ｂの部分破断斜視図と、図５のＣ−Ｃ線断面図とであり、図７，８は、図５のＤ−Ｄ線断面図と、前後胴周り域２０，２２を連結した着用状態で示す図５のおむつ１Ｂの斜視断面図とである。図５のおむつ１Ｂが図１のそれと異なる点は、第３吸液層を有することにある。
【００３４】
第３コア１７は、第１透液性シート２を挟んで第１コア４の肌対向面４ｃの側に位置し、後胴周り域２２から股下域２１へ向かって延びている。第３コア１７は、肌対向面１７ａと肌非対向面１７ｂとを有し、それら面１７ａ，１７ｂが第３透液性シート２５に覆われている。第３コア１７では、肌対向面１７ａと肌非対向面１７ｂとが第３透液性シート２５の内面に固着されて第３吸液層を形成している。
【００３５】
第３吸液層は、後胴周り域２２に位置して第１吸液層に重なる基端部１７ｃと、股下域２１の側に位置して第１コア４から上方へ所与寸法離間する先端部１７ｄと、それら端部１７ｃ，１７ｄの間を縦方向へ延びる両側部１７ｅとを有する。第３吸液層の基端部１７ｃでは、第１透液性シート２の外面と第３透液性シート２５の外面とが固着されている。第３透液性シート２５は、第３コア１７の先端部において折曲されている。
【００３６】
第３コア１７は、第１および第２コア４，６と同様の混合物であり、所要の厚みに圧縮されている。第３コア１７は、その全体がティッシュペーパーに被覆されていることが好ましい。
【００３７】
おむつ１Ｂでは、第３吸液層の先端部１７ｄと両側部１７ｅとの交差部位１７ｆが第３透液性シート２５を介してカフ７の自由縁部７ｂに固着されている。おむつ１Ｂでは、第２吸液層の前胴周り域２０から股下域２１への延出寸法Ｌ１が第３吸液層の後胴周り域２２から股下域２１への延出寸法Ｌ２よりも大きい。
【００３８】
おむつ１Ｂでは、第２および第３吸液層の先端部６ｄ，１７ｄが股下域２１において縦方向へ所与寸法離間し、それら先端部６ｄ，１７ｄの間に第１吸液層の肌対向面が部分的に露出している。第１透液性シート２は、股下域２１における後胴周り域２２の側へ偏倚した位置に露出している。第１吸液層と第３吸液層との間には、後胴周り域２２から股下域２１へ向かって開口するポケットＰ２が形成されている。
【００３９】
第３吸液層の基端部１７ｃから縦方向外方へ延びる第３透液性シート２５の端部２５ａは、図６に示すように、互いに重なり合う部分が固着され、さらに、第１透液性シート２の端部２ａに固着されている。カフ７の固定端部７ｃは、第３透液性シート２５の端部２５ａに固着されている。
【００４０】
第３吸液層の両側部１７ｅから横方向外方へ延びる第３透液性シート２５の側部２５ｂは、図７に示すように、互いに重なり合う部分が固着され、さらに、第１透液性シート２の側部２ｂとカフ７の固定縁部７ａとの間に介在し、側部２ｂと固定縁部７ａとに固着されている。
【００４１】
おむつ１Ｂでは、起立したカフ７の自由縁部７ｂによって、第３吸液層の先端部１７ｄが第１コア４の肌対向面４ｃの上方へ持ち上げられ、ポケットＰ２が大きく口を開ける。おむつ１Ｂでは、大便がポケットＰ１に収容されるとともに、ポケットＰ２にも収容されるので、おむつ１Ｂにおける大便の収容容積を図１のそれよりも大きくすることができ、さらに、後胴周り域２２におけるエンドフラップ８からの大便の漏れを防ぐことができる。このおむつ１Ａでは、前胴周り域２０と後胴周り域２２とにおいて着用者の肌に対する大便の付着を確実に防ぐことができる。
【００４２】
図９，１０は、他の実施の形態を示す使い捨ておむつ１Ｃの部分破断斜視図と、図９のＥ−Ｅ線断面図とである。図９のおむつ１Ｃが図１のそれと異なる点は、以下のとおりである。
【００４３】
このおむつ１Ｃでは、第１コア４と第１コア４の肌対向面４ｃの側に位置する第２コア６とが第１透液性シート２と不透液性シート３との間に介在している。第１透液性シート２は、第２コア６の先端部において第２コア６の肌非対向面６ｂの側へ向かって折曲され、かつ、第１コア４の肌対向面４ｃと第２コア６の肌非対向面６ｂとの間に折り込まれている。第２吸液層の基端部６ｃでは、第１吸液層の第１透液性シート２と第２吸液層の第２透液性シート５とが固着されている。
【００４４】
おむつ１Ｃでは、第２コア６の肌対向面６ａが第１透液性シート２に覆われ、基端部６ｃを除く第２コア６の肌非対向面６ｂと第１コア４の肌対向面４ｃとが第１透液性シート２に覆われている。第１透液性シート２は、それら面４ｃ，６ａ，６ｂに固着されている。
【００４５】
おむつ１Ｃでは、第２吸液層の先端部６ｄと両側部６ｅとの交差部位６ｆが第１透液性シート２を介してカフ７の自由縁部７ｂに固着されている。第１吸液層と第２吸液層との間には、前胴周り域２０から股下域２１へ向かって開口するポケットＰ１が形成されている。
【００４６】
おむつ１Ｃでは、図５のそれと同様に、後胴周り域２２から股下域２１へ向かって延びる第３コア１７が第１コア４の肌対向面４ｃの側に位置し、第１コア４と第３コア１７とが第１透液性シート２と不透液性シート３との間に介在していてもよい。第３コア１７を有するおむつでは、第１透液性シート２が第３吸液層の先端部１７ｄにおいて第３コア１７の肌非対向面１７ｂの側へ向かって折曲され、かつ、第１コア４の肌対向面４ｃと第３コア１７の肌非対向面１７ｂとの間に折り込まれる。さらに、第３吸液層の先端部１７ｄと両側部１７ｅとの交差部位１７ｆが第１透液性シート２を介してカフ７の自由縁部７ｂに固着される。
【００４７】
第１透液性シート２と第２透液性シート５とには、親水性繊維不織布、または、微細な多数の開孔を有するプラスチックフィルムを使用することができる。不透液性シート３には、疎水性繊維不織布、不透液性のプラスチックフィルム、疎水性繊維不織布を重ね合わせた２層の不織布、疎水性繊維不織布にプラスチックフィルムを固着した複合シートのいずれかを使用することができる。防漏カフ７には、疎水性繊維不織布を使用することができる。
【００４８】
不透液性シート３やカフ７には、高い耐水性を有するメルトブローン法による繊維不織布を、高い強度を有しかつ柔軟性に富んだスパンボンド法による繊維不織布で挟んだ複合不織布を使用することもできる。
【００４９】
不織布としては、スパンレース、ニードルパンチ、メルトブローン、サーマルボンド、スパンボンド、ケミカルボンド、エアースルー、の各製法により製造されたものを使用することができる。不織布の構成繊維としては、ポリオレフィン系、ポリエステル系、ポリアミド系、の各繊維、ポリエチレン／ポリプロピレン、または、ポリエチレン／ポリエステルからなる芯鞘型複合繊維またはサイドバイサイド型複合繊維を使用することができる。
【００５０】
第１透液性シート２，不透液性シート３や第２透液性シート５の固着、防漏カフ７の固着、第１透液性シート２，不透液性シート３や第２透液性シート５に対するそれらコア４，６，１７の接合、弾性部材１０，１１，１２の取り付けには、ホットメルト型接着剤、または、ヒートシールや超音波接合等の熱による溶着手段を使用することができる。
【００５１】
この発明は、開放型のおむつの他に、前後胴周り域があらかじめ連結されたパンツ型のおむつにも実施することができる。
【００５２】
【発明の効果】
本発明にかかる使い捨ておむつによれば、起立するカフの自由縁部が第２吸液層の先端部を第１吸液層の肌対向面４ｃの上方へ持ち上げるので、第１吸液層と第２吸液層との間に前胴周り域から股下域へ向かって大きく口を開けるポケットが形成され、ポケットの大便に対する収容容積を大きくすることができる。このおむつでは、ポケットに多量の大便を収容することができ、大便が第２吸液層上に漏出することはなく、前胴周り域において着用者の肌に対する大便の付着を確実に防ぐことができる。
【００５３】
第２吸液層の単位面積当たりの排泄物吸収量が第１コアのそれよりも大きいおむつでは、尿の大部分が第２コアに吸収、保持され、尿が第２コアからポケットに移行することを防ぐことができ、ポケットにおいて尿と大便とが混合してしまうことを防ぐことができる。
【００５４】
第３吸液層を有するおむつでは、起立するカフの自由縁部が第３吸液層の先端部を第１吸液層の肌対向面４ｃの上方へ持ち上げ、第１吸液層と第３吸液層との間に後胴周り域から股下域へ向かって大きく口を開けるポケットが形成される。このおむつでは、そこに大便を収容することができるので、後胴周り域におけるエンドフラップからの大便の漏れを防ぐことができる。このおむつでは、前胴周り域と後胴周り域とにおいて着用者の肌に対する大便の付着を確実に防ぐことができる。
【図面の簡単な説明】
【図１】  表面シートの側から示す使い捨ておむつの部分破断斜視図。
【図２】  図１のＡ−Ａ線断面図。
【図３】  図１のＢ−Ｂ線断面図。
【図４】  前後胴周り域を連結した着用状態で示す図１のおむつの斜視断面図。
【図５】  他の実施の形態を示す使い捨ておむつの部分破断斜視図。
【図６】  図５のＣ−Ｃ線断面図。
【図７】  図５のＤ−Ｄ線断面。
【図８】  前後胴周り域を連結した着用状態で示す図５のおむつの斜視断面図。
【図９】  他の実施の形態を示す使い捨ておむつの部分破断斜視図。
【図１０】  図９のＥ−Ｅ線断面図。
【符号の説明】
１Ａ          使い捨ておむつ
１Ｂ          使い捨ておむつ
１Ｃ          使い捨ておむつ
２            第１透液性シート
３            不透液性シート
４            第１コア
４ａ          両側縁
４ｃ          肌対向面
４ｄ          肌非対向面
５            第２透液性シート
６            第２コア
６ａ          肌対向面
６ｂ          肌非対抗面
６ｃ          基端部
６ｄ          先端部
６ｅ          両側部
７            防漏カフ
７ａ          固定縁部
７ｂ          自由縁部
７ｃ          固定両端部
１７            第３コア
１７ａ          肌対向面
１７ｂ          肌非対抗面
１７ｃ          基端部
１７ｄ          先端部
１７ｅ          両側部
２０            前胴周り域
２１            股下域
２２            後胴周り域
２５            第３透液性シート
Ｌ１            延出寸法
Ｌ２            延出寸法
Ｐ１            ポケット
Ｐ２            ポケット
【図１】
0003964624.tif 000002
【図２】
0003964624.tif 000003
【図３】
0003964624.tif 000004
【図４】
0003964624.tif 000005
【図５】
0003964624.tif 000006
【図６】
0003964624.tif 000007
【図７】
0003964624.tif 000008
【図８】
0003964624.tif 000009
【図９】
0003964624.tif 000010
【図１０】
0003964624.tif 000011